(57)【要約】      （修正有）【課題】レンズフードをレンズの光軸方向へ移動可能に設け、レンズフードを取り外すことなく当該レンズフードを使用した撮影と使用しない撮影のいずれも行うことができる撮像装置を提供する。【解決手段】レンズ装置４の可動鏡筒１９に固定されると共に、そのレンズ装置４のレンズの光軸上に設けられ且つ被写体からの光を通過させる開口窓４３を端面部に設けた円筒部材２１と、その円筒部材２１に回動可能に支持された回動円筒体２２と、その回動円筒体２２に対して回動方向へ一体とされると共に軸方向へはスライド可能に支持され、軸方向へ突出した状態において開口窓４３からレンズ装置４内に入る光を制限するレンズフード２７と、円筒部材２１の端面部に配置されると共に回動円筒体２２の回動により回動されて開口窓４３を開閉可能な２組のレンズバリア２４Ａ，２４Ｂと、を備る。【選択図】図１
2006235534.tif 000002
【特許請求の範囲】
【請求項１】
レンズ装置の鏡筒に固定されると共に、当該レンズ装置のレンズの光軸上に設けられ且つ被写体からの光を通過させる開口窓を端面部に設けた円筒部材と、
前記円筒部材に回動可能に支持された回動円筒体と、
前記回動円筒体に対して回動方向へ一体とされると共に軸方向へはスライド可能に支持され、当該軸方向へ突出した状態において前記開口窓から前記レンズ装置内に入る光を制限するレンズフードと、
前記円筒部材の前記端面部に配置されると共に前記回動円筒体の回動により回動されて前記開口窓を開閉可能なレンズバリアと、を備えてなることを特徴とする撮像装置。
【請求項２】
前記レンズバリアは、前記開口窓を覆うことができる重ね合わされた複数枚のバリア片からなり、当該複数枚のバリア片を、１つのバリア片の回動により残りのバリア片が連動して回動するように連結すると共に、当該１つのバリア片に前記回動円筒体に係合される係合部を設けたことを特徴とする請求項１記載の撮像装置。
【請求項３】
前記レンズバリアは、前記複数枚のバリア片からなる２組のレンズバリアから構成され、当該２組のレンズバリアを、前記端面部の前記開口窓の周囲に当該開口窓を中心に点対称に配置したことを特徴とする請求項２記載の撮像装置。
【請求項４】
前記回動円筒体の外周面又は前記レンズフードの内周面には前記光軸の方向と平行に延在されたガイド突条を設け且つ当該ガイド突条に摺動可能に係合されるガイド溝を前記レンズフードの内周面又は前記回動円筒体の外周面に設けると共に、前記円筒部材及び前記レンズフードには、当該レンズフードが前記回動円筒体に対して軸方向の所定位置にあるときに前記円筒部材に対する前記回動円筒体の回動を許容する回動許容部を設けたことを特徴とする請求項１記載の撮像装置。
【請求項５】
前記円筒部材には、前記レンズバリアを覆って前記端面部の前方に配置される化粧板を設け、当該化粧板には、前記開口窓に対応する第２の開口窓を設けたことを特徴とする請求項１記載の撮像装置。
【発明の詳細な説明】
【技術分野】
【０００１】
本発明は、レンズ装置のレンズに不要な光が入るのを防止するレンズフードを当該レンズの光軸方向へ移動可能に設け、レンズフードを取り外すことなく当該レンズフードを使用した撮影と使用しない撮影のいずれも行うことができる撮像装置に関するものである。
【背景技術】
【０００２】
従来の、レンズフードを有する撮像装置としては、例えば、特許文献１に記載されているようなものがある。特許文献１には、カメラレンズの先端部に装着するカメラレンズのカバーユニットに関するものが記載されている。この特許文献１に記載されたカメラレンズのカバーユニットは、「カメラレンズの先端部に装着されるレンズバリア支持部材と、前記レンズバリア支持部材に開閉可能に設けられ、かつ閉方向に付勢されたレンズバリアと、前記レンズバリア支持部材に設けられた係合ピンと、前記レンズバリア支持部材の係合ピンと係合するスパイラル状の送り溝が内周部に形成され、回転によりカメラレンズの前後方向に移動するレンズフードと、前記レンズバリア支持部材に、前記レンズフードに応動して前後方向に摺動するように設けられ、前進時に前記レンズバリアを押し開くように構成したレンズバリアの押し出し手段、を備えた」ことを特徴としている。
【０００３】
このような構成を有する特許文献１のカメラレンズのカバーユニットによれば、「レンズバリア支持部材にレンズバリア、係合ピン、レンズフード押し出し手段の各部材を組み込むことによって予めユニット化することができ、このユニットをカメラレンズの先端部に装着するため、取り付け作業が簡単である。また、レンズバリアは閉方向に付勢されているため、不意にレンズバリアが開くことがない」等の効果が期待される。
【０００４】
また、従来のレンズフードを有する撮像装置の他の例としては、例えば、特許文献２に記載されているようなものもある。特許文献２には、レンズを有する光学機器に用いられる収納フード付きレンズキャップ及びそれを備えた撮像装置に関するものが記載されている。この特許文献２に記載された撮像装置は、「収納フード付きレンズキャップを備えた撮像装置であって、撮像ユニット及び光学部を内蔵した装置本体と、前記装置本体の光学部に取り付けられた収納フード付きレンズキャップと、を具備し、この収納フード付きレンズキャップは、前記光学機器への取り付け部を備えたキャップ本体と、前記キャップ本体に折り畳み可能に取り付けられたフード部材と、を含み、前記フード部材の開閉により、レンズキャップの状態及びレンズフードの状態を採る」ことを特徴としている。
【０００５】
このような構成を有する特許文献２の撮像装置によれば、「フード部材の開閉により、レンズキャップの状態及びレンズフードの状態を採るので、必要時以外はコンパクトに収納でき、しかも着脱が不要である」という効果を得ることができる。
【特許文献１】実開平４−９１３４１号公報
【特許文献２】特開２０００−１８０９１８号公報
【０００６】
一般に、カメラのレンズ装置には、撮影レンズの画角以外から有害光が入射されるのを防止するためにレンズフードが取り付けられている。このレンズフードのレンズ装置先端部への取付け方式には、ねじ込み方式、バヨネット方式等が知られているが、レンズ装置に取り付けた状態のままではカメラ全体が大きくなり過ぎて持ち運び等に不便であるため、取り外してレンズ装置に逆向きに被せたり、別体のケースに収納する等の方法が取られていた。
【０００７】
しかしながら、レンズフードは着脱作業が面倒であり、また、レンズフードを紛失するおそれもあるため、従来の撮像装置として特許文献１に開示されているように、レンズに対してレンズフードを進退動作可能に構成したレンズフード付き撮像装置が提供されている。ところが、特許文献１に開示された撮像装置では、レンズフードの進退動作とレンズバリアの開閉動作とが連動する構成となっており、レンズフードを前進させるとレンズバリアが開いて撮影が可能となる一方、レンズフードを後退させるとレンズバリアが閉じて撮影が不能となっていた。そのため、レンズフードの無い状態での撮影が可能であるにもかかわらず、例えば、レンズフードを突出させたままでフラッシュ撮影を行うと、フラッシュ装置の発光光がレンズフードによってけられてしまい、フラッシュ撮影ができないという問題点があった。
【０００８】
また、特許文献２に開示されているように、着脱可能に構成されたレンズキャップにレンズフードが内蔵された撮像装置も提供されているが、レンズフードを使わないで撮影するときには、レンズキャップをレンズから外す必要があった。そのため、レンズフードの使用の有無に応じてレンズキャップの着脱作業が必要となることから、面倒なレンズキャップの着脱作業が頻繁に必要となり、シャッタチャンスを逃がすおそれがあると共に、レンズキャップを紛失するおそれもあるという問題点があった。
【発明の開示】
【発明が解決しようとする課題】
【０００９】
解決しようとする問題点は、従来のレンズフードを有する撮影装置では、レンズフードを付けたままでフラッシュ撮影を行うと、フラッシュ装置の発光光がレンズフードでけられるためにフラッシュ撮影が行えなかったり、また、レンズフードの使用の有無に応じてレンズキャップの着脱作業が必要となることから、シャッタチャンスを逃がしたり、レンズキャップを紛失するおそれがあるという点である。
【課題を解決するための手段】
【００１０】
本発明の撮像装置は、レンズ装置の鏡筒に固定されると共に、そのレンズ装置のレンズの光軸上に設けられ且つ被写体からの光を通過させる開口窓を端面部に設けた円筒部材と、その円筒部材に回動可能に支持された回動円筒体と、その回動円筒体に対して回動方向へ一体とされると共に軸方向へはスライド可能に支持され、軸方向へ突出した状態において開口窓からレンズ装置内に入る光を制限するレンズフードと、円筒部材の端面部に配置されると共に回動円筒体の回動により回動されて開口窓を開閉可能なレンズバリアと、を備えてなることを最も主要な特徴とする。
【００１１】
本発明の撮像装置では、レンズフードを軸方向前側にスライドさせて開口窓より前方に突出させると、その開口窓からレンズ装置内に入る光を制限して不要な光が入らないようにでき、逆光による不要な光が開口窓からレンズ装置内に入るのを防止できる。一方、レンズフードを軸方向後側にスライドさせて開口窓より後方に収納することにより、フラッシュ撮影等に影響を与えることなく、レンズフードを使用しない撮影が可能である。また、レンズフードを回動すると、レンズバリアが回動されて開口窓が開閉されるため、レンズフードを付けたまま開口窓を開放して撮影が可能である。
【発明の効果】
【００１２】
本発明の撮像装置によれば、レンズフードを付けたままレンズフードを動作させて開口窓を開閉することができ、レンズフードを用いた撮影やレンズフードを用いない撮影を適宜に選択して好みの撮影作業を行うことができる。
【発明を実施するための最良の形態】
【００１３】
レンズフードの出し入れが自在であり、レンズフードを用いた撮影とレンズフードを用いない撮影との切り換えが簡単であると共に、レンズバリアの開閉操作が容易な撮像装置を、簡単な構成によって実現した。
【００１４】
以下、本発明の実施の形態を、添付図面を参照して説明する。図１〜図１３は、本発明の撮像装置の実施の形態の例を説明するものであり、図１〜図８は、本発明の撮像装置の一例に係るレンズフードと円筒部材等を示す図、図９及び図１０は、本発明の撮像装置の一例の外観を示す図、図１１は、本発明の撮像装置の一例の概略構成を示す図、図１２及び図１３は、本発明の撮像装置の制御の一例を示す図である。
【００１５】
図９及び図１０に図示した電子スチルカメラ１は、本発明の撮像装置の実施の形態の一例を示すものである。この電子スチルカメラ１は、撮像装置本体の一具体例を示すカメラ本体２と、このカメラ本体２に回動可能に支持されたレンズ収納ケース３と、このレンズ収納ケース３に収納されたレンズ装置４と、このレンズ装置４の先端部に取り付けられたレンズフードユニット５等から構成されている。
【００１６】
カメラ本体２は、内部に空間が設けられた横長の筐体からなるカメラケース６を有しており、このカメラケース６の長手方向である横方向の一側にレンズ収納ケース３が回動自在に連結されている。カメラケース６の内部空間には、図示しないが、各種の電子部品が実装された配線基板、バッテリー電源、記憶装置、その他各種の電子部品や機械部品、装置等が収納されている。このカメラケース６の正面の右側部には、このカメラケース６を把持するための把持部６ａが設けられている。把持部６ａは、カメラケース６の前面を前方に突出させるように形成されており、片手で握りやすい形状とされている。
【００１７】
カメラケース６の把持部６ａの上面には、被写体を撮影するためのシャッタボタン７が設けられている。シャッタボタン７の後方でカメラケース６の上面には、モード選択ダイヤル８と電源ダイヤル９とが積層された状態で配置されている。モード選択ダイヤル８と電源ダイヤル９は、それぞれリング状に形成されており、指標を有する固定軸１０に回動自在に取り付けられている。モード選択ダイヤル８は、電子スチルカメラ１に付与された多数のカメラ機能の中から所望のモードを選択する回転スイッチである。このモード選択ダイヤル８で選択される機能としては、例えば、静止画を撮影するモード、動画を撮影するモード、撮影した画像を再生・編集するモード等を挙げることができる。
【００１８】
モード選択ダイヤル８で選択されたモード表示等を行うために、カメラケース６上面のモード選択ダイヤル８の内側にはモード表示モニタ１１が配設されている。また、電源ダイヤル９はモード選択ダイヤル８の下に配置されており、その操作部９ａが半径方向外側に突出されている。この電源ダイヤル９は、バッテリー電源等によって供給される電力をオン・オフ切り換える回転スイッチである。
【００１９】
カメラケース６の背面には、電子ビューファインダ１２と、図に表れない表示手段の一具体例を示す液晶ディスプレイ（ＬＣＤ）等からなる平面表示パネル等が配設されている。電子ビューファインダ１２は、カメラケース６の把持部６ａと反対側において、後方へ突出するように設けられている。また、平面表示パネルの周囲には、種々のカメラ機能を選択等するための各種のスイッチ類が設けられている。
【００２０】
レンズ収納ケース３は、レンズ装置４が収納される略円筒状をなす胴体部３ａと、この胴体部３ａの後端から後方に突出されたアーム部３ｂと、胴体部３ａに連続して前方に突出されたフラッシュ格納部３ｃとを有している。レンズ収納ケース３の胴体部３ａは、アーム部３ｂ側の端面が閉じられ手入る一方、フラッシュ格納部３ｃ側が開口されている。この胴体部３ａ内に、撮影レンズが光軸方向へ進退移動可能とされた沈胴式のレンズ装置４が、被写体に対向される撮影レンズ１４を開口部から突出させた状態で収納されている。
【００２１】
レンズ収納ケース３のアーム部３ｂは、レンズ装置４の光軸から側方へ偏倚した位置に設けられており、その内面には内側に突出する回動軸部が設けられている。アーム部３ｂの回動軸部はレンズ収納ケース３の側面を貫通しており、その回動軸部を回動中心としてレンズ収納ケース３がカメラケース６に対して回動自在に支持されている。また、フラッシュ格納部３ｃには、フラッシュ装置１５が昇降動作可能に収納されている。そして、胴体部３ａには、レンズ装置４やフラッシュ装置１５等を制御するための各種のスイッチからなるスイッチ群１６が設けられている。
【００２２】
レンズ装置４は、レンズ収納ケース３内に固定される図に表れない固定鏡筒と、その固定鏡筒に回動自在に支持された回動鏡筒１８と、固定鏡筒に進退移動可能に支持された可動鏡筒１９等を備えて構成されている。回動鏡筒１８を回動することにより、その回動方向に応じて可動鏡筒１９が所定の範囲内で前進したり、後退したり進退移動可能とされている。更に、可動鏡筒１９には撮影レンズ１４の他に所定のレンズが取り付けられ、固定鏡筒にも所定のレンズが取り付けられており、これらのレンズ群によってレンズ装置４の光学系が構成されている。このレンズ装置４の可動鏡筒１９の先端部に、レンズフードユニット５が取り付けられている。
【００２３】
図１に示すように、レンズフードユニット５は、可動鏡筒１９に固定される円筒部材２１と、この円筒部材２１に回動自在に嵌合される回動円筒体２２と、この回動円筒体２２の前方に配置されるバリア取付板２３と、このバリア取付板２３に回動自在に支持される一対のレンズバリア２４Ａ，２４Ｂと、この一対のレンズバリア２４Ａ，２４Ｂの前側を覆う支持リング２５と、この支持リング２５の前面を覆う化粧板２６と、回動円筒体２２に嵌合されるレンズフード２７等から構成されている。
【００２４】
レンズフードユニット５の円筒部材２１は、円筒状の胴体部２１ａと、その胴体部２１ａの一方の開口部に設けられ且つ半径方向外側に展開された外フランジ部２１ｂと、胴体部２１ａの他方の開口部に設けられ且つ半径方向内側に展開された内フランジ部２１ｃとを有している。円筒部材２１の胴体部２１ａには、その内面と外面との間を貫通する長穴３１が周方向に適当な間隔をあけて複数箇所（本実施例では４箇所）に設けられている。各長穴３１は、胴体部２１ａの軸方向である光軸方向と平行をなすよう細長く形成されている。更に、円筒部材２１の内フランジ部２１ｃの端面には、バリア取付板２３を位置決めするための複数の位置決めピン３２と、固定ねじの軸部が挿通される複数の挿通孔３３とが設けられている。
【００２５】
図１等に示すように、回動円筒体２２は、軸心線方向の長さ（筒幅）が円筒部材２１の胴体部２１ａと略同程度の長さを有する円筒体からなる。回動円筒体２２には、胴体部２１ａに設けた長穴３１と同数の弾性片３５が、それぞれ対応する位置に設けられている。各弾性片３５は、図７及び図８に示すように、筒幅方向と平行に延在されている。この弾性片３５は、コ字状の切り込みを筒軸方向に所定の間隔をあけて対向させることによって形成されている。そして、弾性片３５の肉厚を他の部分よりも薄くすることによって適当な強さの弾性が付与されている。更に、各弾性片３５の両端には、半径方向外側に突出する爪部３５ａ，３５ｂが設けられている。これらの爪部３５ａ，３５ｂは、レンズフード２７を軸心線方向にスライド動作させるときの操作にクリック感を生じさせる。
【００２６】
更に、回動円筒体２２の外周面には、レンズフード２７が軸心線方向にスライド動作するときに、当該レンズフード２７をガイドして軸心線方向に直線的に移動させる複数個（本実施例では４個）のガイド突条３６が設けられている。４個のガイド突条３６は、略等角度（９０°）間隔に配置されており、各ガイド突条３６の両側には、当該ガイド突条３６と平行に延在されたガイド溝３７，３７がそれぞれ設けられている。この回動円筒体２２の一方の端面には、２組のレンズバリア２４Ａ，２４Ｂを回動操作するための２つの係合凹部３８Ａ，３８Ｂと、回動円筒体２２とバリア取付板２３との間の相対的な回動量を制限する２つの回動制限凹部３９，３９と、その相対的な回動時にクリック感を生じさせるクリック爪４１とが設けられている。
【００２７】
回動円筒体２２の２つの係合凹部３８Ａ，３８Ｂは、ガイド突条３６から所定角度回転変位した位置であって、互いに略１８０度回転変位した位置に配設されている。この２つの係合凹部３８Ａ，３８Ｂと略９０度回転変位した位置に２つの回動制限凹部３９，３９が配置されている。各回動制限凹部３９の中央部には、三角状突起のように突出したクリック爪４１が設けられている。クリック爪４１の内側には、回動制限凹部３９の底面と平行に延びるスリットが設けられており、これにより、クリック爪４１に可撓性を付与してクリック感を生じさせるようにしている。
【００２８】
図１等に示すように、バリア取付板２３は、回動円筒体２２の外径と略等しい直径を有する円板状の部材からなる。バリア取付板２３の中央部には、被写体からの光をレンズ装置４の光学系に導く開口窓４３が設けられている。開口窓４３は、長方形をなす横長の貫通穴からなり、その外周縁には回動円筒体２２に対する位置決めをなす２つの位置決め凸部４４，４４が設けられている。２つの位置決め凸部４４，４４は、互いに略１８０度回転変位した位置であって、回動円筒体２２の２つのガイド突条３６，３６と重なり合う位置に設けられている。このバリア取付板２３は、円筒部材２１の内フランジ部２１ｃ側に固定されることにより、円筒部材２１と一体化されてその端面部を構成する。
【００２９】
バリア取付板２３の背面の外周縁の２箇所には、回動円筒体２２の２箇所の回動制限凹部３９，３９に係合される回動制限凸部４５，４５が設けられている。回動制限凸部４５は、バリア取付板２３に対する回動円筒体２２の回動範囲を制限するもので、両者の相対的な回動量に回動制限凸部４５の長さを加えたものが回動制限凹部３９の長さとされている。回動制限凸部４５は、回動制限凹部３９に見合う円弧状の凸部として形成されており、その回動量に対応して所定間隔あけた２箇所に、回動制限凹部３９のクリック爪４１が選択的に係合されて２つの爪受け部が設けられている。
【００３０】
図２〜図８に示すように、バリア取付板２３の開口窓４３の周囲には、その開口窓４３を開閉するための２組のレンズバリア２４Ａ，２４Ｂが配置されている。第１のレンズバリア２４Ａは、開口窓４３の斜め上半分を覆うことができるものであり、バリア取付板２３の開口窓４３の上部に回動自在に取り付けられている。また、第２のレンズバリア２４Ｂは、開口窓４３の斜め下半分を覆うことができるものであり、バリア取付板２３の開口窓４３の下部に回動自在に取り付けられている。各レンズバリア２４Ａ，２４Ｂは、第１のバリア片４６及び第２のバリア片４７と、第１のバリア片４６を閉じ側又は開き側に選択的に保持する弾性部材の一具体例を示す捩りばね４８とから構成されている。
【００３１】
２組のレンズバリア２４Ａ，２４Ｂを回動自在に支持するために、バリア取付板２３の開口窓４３の一方の対角線方向の両側には、２組のレンズバリア２４Ａ，２４Ｂに対応させて２本の枢軸５１，５１が設けられている。２つのバリア片４６，４７は、第１のバリア片４６の上に第２のバリア片４７を重ね合わせるように積層され、その積層状態で各バリア片４６，４７に設けた軸受孔４６ａ，４７ａに枢軸５１が共通に挿通される。２つのバリア片４６，４７の軸受穴は、それぞれ長手方向の一方の端部に設けられている。２つのバリア片４６，４７の形状は、両バリア片４６，４７が枢軸５１を中心に回動した状態で開口窓４３の対角線と交差する方向に形成される直角三角形の領域を、２つのバリア片４６，４７が協働して覆い隠すことができる形状とされている。
【００３２】
即ち、２つのバリア片４６，４７は、これらを閉じて重ね合わせたときには、バリア取付板２３の開口窓４３の上部（又は下部）に設けた半月形の領域内に収まることができる形状である。そして、２つのバリア片４６，４７を開いたときには、面方向に扇形に広げられて開口窓４３の斜め半分を閉じることができる形状である。従って、このような形状及び機能を有する２組のレンズバリア２４Ａ，２４Ｂを開口窓４３の上下両側に対向させて設け、２組のレンズバリア２４Ａ，２４Ｂを同期させて同時に回動することにより、長方形の開口窓４３を確実に開閉することができる。
【００３３】
また、図１等に示すように、２つのレンズバリア２４Ａ，２４Ｂを開閉動作させるために、それぞれ第１のバリア片４６には、バリア部と反対側に突出する操作部４６ｂが設けられている。図２〜図８に示すように、第１のバリア片４６の操作部４６ｂは、その面方向と直交する方向に突出されている。この操作部４６ｂは、バリア取付板２３の外周縁に設けた切欠き部５２を背面側（回動円筒体側）に貫通し、回動円筒体２２の係合凹部３８Ａ（又は３８Ｂ）に係合されている。
【００３４】
バリア取付板２３の切欠き部５２の周方向の長さは、１つのレンズバリア２４Ａ（及び２４Ｂ）が開口窓４３の半分を閉じるために第１のバリア片４６の回動量として必要とされる角度範囲に設定されている。一方、係合凹部３８Ａ（及び３８Ｂ）は、操作部４６ｂと略同程度の大きさに設定されている。かくして、バリア取付板２３に対して回動円筒体２２を相対的に回動することにより、切欠き部５２の範囲内において操作部４６ｂを回動させることができる。これにより、第１のバリア片４６は、図２及び図３に示すように開口窓４３の半分を閉じた状態と、図５〜図７に示すように開口窓４３を完全に開いた状態とを選択的に取ることができる。
【００３５】
更に、第１のバリア片４６には、背面側に突出する突起部４６ｃが設けられている。この突起部４６ｃは、バリア取付板２３に設けたガイド溝５３に摺動自在に係合されている。このガイド溝５３は、突起部４６ｃを介して第１のバリア片４６がスムースに回動できるようにすると共に、その第１のバリア片４６の移動範囲を制限するために内側への移動端と外側への移動端を設定するものである。また、第１のバリア片４６の表面には、第２のバリア片４７を閉じ方向に押圧するための押圧突起４ｊ９と、捩りばね４８の一方のばね片が係止されるばね受け凸部４６ｄとが設けられている。捩りばね４８の他方のばね片は、バリア取付板２３に設けたばね受け凸部２３ａに係止されている。この捩りばね４８のばね力によって第１のバリア片４６は、開口窓４３を閉じる閉じ側又は開口窓４３を開く開き側に選択的に保持されている。
【００３６】
また、第２のバリア片４７には、閉じ側への移動を制限する移動制限部４７ｂが先端部に設けられている。そして、第２のバリア片４７の背面には、第１のバリア片４６の開放方向への移動に連動させる連動突起４７ｃが設けられている。連動突起４７ｃは、第１のバリア片４６の移動軌跡上に突出されており、第１のバリア片４６が開放方向に移動すると、第１のバリア片４６の側縁が連動突起４７ｃに当接され、この連動突起４７ｃにより押圧されて、図５〜図７に示すように、第２のバリア片４７が所定の開放位置まで回動される。
【００３７】
図１等に示すように、支持リング２５は、バリア取付板２３の前側に所定の隙間を設定して２組のレンズバリア２４Ａ，２４Ｂを保持するものである。この支持リング２５は、回動円筒体２２の外径と略同じ外径を有するリング部２５ａと、このリング部２５ａの内側に展開された端面部２５ｂとからなっている。支持リング２５の端面部２５ｂには、バリア取付板２３の開口窓よりも少々大きめの開口窓５５が設けられている。この端面部２５ｂには、固定ねじが挿通される挿通孔が複数箇所に設けられている。その固定ねじによって支持リング２５は、バリア取付板２３と一緒に円筒部材２１に固定されている。
【００３８】
支持リング２５のリング部２５ａの前側の内周面には、偏光フィルタやＵＶフィルタ等のアクセサリーが着脱可能に装着されるねじ穴が設けられている。また、リング部２５ａの後端部には、２つの係合凹部５６が設けられている。２つの係合凹部５６，５６には、バリア取付板２３の２つの位置決め凸部４４，４４が係合され、これにより、支持リング２５とバリア取付板２３とが回転方向に一体化されている。この支持リング２５の端面部２５ｂとバリア取付板２３には、これらを円筒部材２１にねじ止めするための挿通孔がそれぞれ対応する位置に設けられている。
【００３９】
化粧板２６は、支持リング２５の端面部２５ｂを覆い隠すものである。この化粧板２６には、支持リング２５の開口窓５５に対応した大きさの開口部５８が設けられている。この化粧板２６は、主に装飾品としての用途をなすものであるため、用いなくてもよいものである。
【００４０】
図１等に示すように、レンズフード２７は、いわゆるフラワー形と呼ばれるもので、円筒体の一端の４箇所に切込み６１を設け、全体を花形に形成したものである。これらの切込み６１は、光を内部に取り入れるために設けたものであり、レンズフードが円筒体のままであると開口窓の対角線方向の角部の光量が不足するため、その光量不足を補うことを目的とするものである。また、レンズフード２７の内周面には、回動円筒体２２の４つのガイド突条３６が摺動可能に係合される４つの係合溝６２，６３が、それぞれ対応する位置に設けられている。
【００４１】
４つの係合溝６２，６３のうち、対向する２箇所に設けた第１の係合溝６２，６２の先端部には、周方向に連続された周方向溝６２ａがそれぞれ設けられている。この第１の係合溝６２には、バリア取付板２３の位置決め凸部４４と、この位置決め凸部４４に対向されるガイド突条３６が挿入される。そのガイド突条３６を完全に挿入した状態において位置決め凸部４４が周方向溝６２ａに対向されており、その周方向溝６２ａによって回動円筒体２２とバリア取付板２３との間が相対的に回動変位可能とされている。
【００４２】
更に、レンズフード２７の内周面の一方の側縁部であって各係合溝６２，６３の両側には、ガイド突条３６の両サイドに設けたガイド溝３７，３７に摺動可能に係合される係合突起６４，６４が設けられている。また、回動円筒体２２の４つの弾性片３５と対応するレンズフード２７の内周面の一方の側縁部の４箇所には、弾性片３５によるクリック感を発生させる突起部６５が設けられている。
【００４３】
前記カメラケース６、レンズ収納ケース３、回動鏡筒１８、可動鏡筒１９、円筒部材２１、回動円筒体２２、バリア取付板２３、レンズバリア２４Ａ，２４Ｂ、支持リング２５、化粧板２６及びレンズフード２７の材質としては、例えば、ＰＯＭ（アセタール樹脂）、ＡＢＳ（アクリロニトリル・ブタジエン・スチレン樹脂）等が好適であるが、その他のエンジニアリングプラスチックを用いることができることは勿論のこと、樹脂以外にも金属等を用いることもできる。
【００４４】
このような構成を有するレンズフードユニット５は、例えば、次のようにして簡単に組み立てることができる。円筒部材２１は、カメラ本体２に取り付けられているレンズ収納ケース３に収納されているレンズ装置４の鏡筒に装着しておくようにする。
【００４５】
まず、バリア取付板２３に２組のレンズバリア２４Ａ，２４Ｂを組み立てる。これは、２つの枢軸５１，５１に、それぞれ第１のバリア片４６の軸受孔４６ａを挿入し、続いて、第２のバリア片４７の軸受孔４７ａを挿入してそれぞれ重ね合わせる。このとき、第１のバリア片４６の操作部４６ｂをバリア取付板２３の切欠き部５２に係合すると共に、第１のバリア片４６の突起部４６ｃをバリア取付板２３のガイド溝５３に係合する。そして、捩りばね４８の一方の弾性片を第１のバリア片４６のばね受け凸部４６ｄに係止すると共に、他方の弾性片をバリア取付板２３のばね受け凸部２３ａに係止する
【００４６】
このように２組のレンズバリア２４Ａ，２４Ｂが取り付けられたバリア取付板２３を、水平面に載置された回動円筒体２２の一方の端面に臨ませ、バリア取付板２３の２つの位置決め凸部４４，４４を一方のガイド突条３６，３６に位置合わせすると共に、各レンズバリア２４Ａ，２４Ｂの第１のバリア片４６の操作部４６ｂを、回動円筒体２２の係合凹部３８Ａ（又は３８Ｂ）に係合させる。これにより、第１のバリア片４６の内縁は開口窓４３の上辺（又は下辺）と略平行な状態となり、同じく第２のバリア片４７の内縁も開口窓４３の上辺（又は下辺）と略平行な状態となる。この状態を表した図が、図７及び図８である。
【００４７】
次に、回動円筒体２２に重ね合わされたバリア取付板２３にレンズフード２７を臨ませ、その背面側（切込み６１の無い側）から挿入する。この際、バリア取付板２３の２つの位置決め凸部４４，４４は、レンズフード２７の内面に設けた４つの係合溝６２，６３のうち、周方向溝６２ａのある２つの係合溝６２，６２に位置合わせし、所定の深さまで十分に差し込む。
【００４８】
これにより、レンズフード２７の４つの係合溝６２，６３に回動円筒体２２の４つのガイド突条３６，３６がそれぞれ摺動可能に係合され、各係合溝６２，６３の両側に設けた係合突起６４，６４がガイド突条３６の両側に設けたガイド溝３７，３７に摺動可能に係合される。更に、レンズフード２７の内面に設けた４つの突起部６５が、回動円筒体２２の４つの弾性片３５に係合され、それらの爪部３５ａを乗り越えて他方の端面まで移動する。この状態を表した図が、図５及び図６である。
【００４９】
次に、レンズフード２７で覆われた２組のレンズバリア２４Ａ，２４Ｂの上方に支持リング２５を臨ませ、その背面側から挿入する。このとき、支持リング２５のリング部２５ａに設けた２つの係合凹部５６，５６を、バリア取付板２３の２つの位置決め凸部４４，４４に係合させる。これにより、支持リング２５がバリア取付板２３と回転方向に一体となる。そして、固定ねじのねじ軸部を、支持リング２５の挿通孔とバリア取付板２３の挿通孔と円筒部材２１の内フランジ部２１ｃに設けた挿通孔３３とを貫通して可動鏡筒１９にねじ止めする。
【００５０】
これにより、可動鏡筒１９と円筒部材２１とバリア取付板２３と支持リング２５とが回転方向に一体とされる。これに対して、レンズフード２７と回動円筒体２２とが回転方向に一体とされているが、回動円筒体２２等と支持リング２５等との間では、周方向溝６２ａの長さ分だけ相対的に回動可能とされている。化粧板２６は、必要な場合に、支持リング２５の端面部２５ｂに接着剤で固定し、或いはねじ止め等して取り付けるようにする。これにより、レンズフードユニット５の組立作業が完了する。
【００５１】
このような構成を有するレンズフードユニット５を備えた電子スチルカメラ１の内部構成を、図１１を参照して説明する。図１１では、映像信号の撮像動作、信号処理、記録処理に関する部位のみを示しており、マイクロホンにより得られるオーディオ信号の処理系、外部機器とのインターフェース系、その他本願発明と直接関連しない部分についての説明は省略している。
【００５２】
コントローラ部７０は、電子スチルカメラ１全体の動作制御を行うもので、例えば、ＣＰＵ、ＲＡＭやＲＯＭ等の記憶装置等を備えたマイクロコンピュータにより構成される。電子スチルカメラ１のレンズ装置４に入射される被写体からの撮像光は、ＣＣＤ（固体撮像素子）７１によって映像信号とされる。そして、アンプ７２によるゲイン調整等の所定の信号処理が行われ、映像信号処理部７３に供給される。映像信号処理部７３では、ＣＣＤ７１からの映像信号に対して、フレーム処理、圧縮処理等の必要な処理が施され、その処理された信号が映像記録／再生回路７４に供給される。
【００５３】
映像記録／再生回路７４では、必要により、その信号を内蔵された記憶装置７５に直接記録し、若しくは、インターフェース回路７６を介して記憶媒体接続部７７に装着された外部記憶装置である半導体記憶メモリ（例えば、メモリスティック、メモリカード等）７８に記録し、或いは、モニタ駆動部７９を介して液晶ディスプレイ等の平面表示パネル８０に供給し、その映像信号により被写体に対応した画像を表示する。更に、映像記録／再生回路７４には接続端子部８１が接続されている。この接続端子部８１に接続コードの一端を接続し、その他端を外部装置と電気的に接続することにより、外部装置の情報を取り入れたり、その外部装置に情報を供給したりすることができる。
【００５４】
また、コントローラ部７０は、映像記録／再生回路７４等を制御して、撮像時や再生時等における各種動作を実行させる。更に、コントローラ部７０は、ユーザーによる操作部８２の操作に応じて、例えば、フラッシュ駆動回路８３に制御信号を出力し、フラッシュ装置１５を露出させると共にその発光部を発光させてフラッシュ撮影を実行する。このコントローラ部７０には、レンズ装置４に装着されたレンズフードユニット５のレンズフード２７が飛び出した使用状態にあるか、引き込まれた非使用状態にあるかを検出するレンズフード位置検出手段８４が電気的に接続されていて、レンズフード２７の状態が入力されるようになっている。
【００５５】
レンズフード位置検出手段８４は、レンズフード２７の前端部の位置を検出する前部検出スイッチ８４Ａと、レンズフード２７の後端部の位置を検出する後部検出スイッチ８４Ｂとから構成されている。図１１に実線で示すように、レンズフード２７を後退させて使用しない状態では、前部検出スイッチ８４Ａはレンズフード２７を検出せず、後部検出スイッチ８４のみがレンズフード２７を検出する。この状態が、レンズフード２７の非使用状態である。一方、図１１に二点鎖線で示すように、レンズフード２７を前進させて使用している状態では、前部検出スイッチ８４Ａのみがレンズフード２７を検出し、後部検出スイッチ８４はレンズフード２７を検出しない状態となる。この状態が、レンズフード２７の使用状態である。
【００５６】
図１２及び図１３は、レンズフード２７を使用するときの制御の一実施例を示すものである。まず、図１２において、ステップＳ１により、２組のレンズバリア２４Ａ，２４Ｂが開いて開口窓４３が開放されているか否かを判定する。この判定は、開口窓４３が開放されて撮影可能な状態になっているか否かを見るもので、レンズバリア２４Ａ，２４Ｂの開放状態はレンズフード２７が初期位置から回転変位しているかどうかを見ることによって行うことができる。即ち、この実施例においては、２組のレンズバリア２４Ａ，２４Ｂの開閉動作はレンズフード２７と回転方向に一体とされた回動円筒体２２の回動運動と連動されているため、レンズフード２７の回動位置を見ることによって、２組のレンズバリア２４Ａ，２４Ｂの開閉状態を知ることができる。
【００５７】
ステップＳ１において、レンズフード２７が開位置ではない、即ち、２組のレンズバリア２４Ａ，２４Ｂが閉じて開口窓４３が閉鎖されていると判定されたときには、ステップＳ１に戻って同様の処理を繰り返す。これに対して、ステップＳ１において、レンズフード２７が開位置である、即ち、２組のレンズバリア２４Ａ，２４Ｂが開かれて開口窓４３が開放されていると判定されたときには、ステップＳ２に移行する。このステップＳ２では、電子スチルカメラ１の主電源を投入する。これにより、図１２に示す処理を終了する。そして、図１３に示す処理に移行する。
【００５８】
図１３では、まず、ステップＳ１１において、フラッシュ装置１５の閃光部検出スイッチがオンとなっているか否かを判定する。この判定は、フラッシュ装置１５がフラッシュ格納部３ｃから飛び出していて、フラッシュ装置１５の閃光部が発光可能な状態となっているかどうかを見ることによって行う。このステップＳ１１において、閃光部検出スイッチがオンとなっていない、即ち、フラッシュ装置１５の閃光部が発光可能な状態ではないと判定されたときには、ステップＳ１１に戻って同様の処理を繰り返す。これに対して、ステップＳ１１において、閃光部検出スイッチがオンとなっている、即ち、フラッシュ装置１５の閃光部が発光可能な状態になっていると判定されたときには、ステップＳ１２に移行する。
【００５９】
ステップＳ１２では、レンズフード２７が伸ばした位置にあるか否かを判定する。この判定は、レンズフード２７を前進させて当該レンズフード２７で光学系に入射される光の量を制限した撮影を行うのか、レンズフード２７が後退したままで光学系に入射される光の量をレンズフード２７では制限しない撮影を行うのかを見るものである。この実施例では、レンズフード２７を伸ばしたときにはフラッシュ撮影を行うことができず、レンズフード２７を縮めたときにのみフラッシュ撮影を行うことができるようにしている。その理由は、レンズフード２７を伸ばした状態でフラッシュ装置１５を発光させると、その発光光の多くがレンズフード２７によってけられてフラッシュ撮影を行うことができないからである。
【００６０】
ステップＳ１２の判定は、レンズフード位置検出手段８４である前部検出スイッチ８４Ａと後部検出スイッチ８４Ｂから供給されるレンズフード位置検出信号を見ることによって行うことができる。このステップＳ１２において、レンズフード２７が伸ばした位置にあると判定されたときには、ステップＳ１３に移行して、モニタに警告表示（例えば、「レンズフードが伸びていて、フラッシュは使えません。」等）する。そして、ステップＳ１１に戻る。これに対して、ステップＳ１２において、レンズフード２７が伸ばした位置にないと判定されたときには、フラッシュ装置１５を用いたフラッシュ撮影が可能であるため、これで処理を終了する。
【００６１】
このような構成を有する電子スチルカメラ１は、例えば、次のようにして使用することができる。図１０は、電子スチルカメラ１の使用状態の一例を示す図であり、左手の手のひらでカメラ本体２の下面を支えながら、左手の指先でレンズフードユニット５のレンズフード２７を軽く掴むようにする。このとき、右手は左手に添えるようにして、その中指以下でカメラケース６の把持部６ａを軽く握りながら、人差し指をシャッタボタン７に沿わせ、親指はモード選択ダイヤル８の後方に沿わせるようにする。
【００６２】
この状態では、レンズ装置４の光学系は、レンズフードユニット５の２組のレンズバリア２４Ａ，２４Ｂによって閉じられており、被写体からの光がその光学系内に入り込むことがない。このとき、２組のレンズバリア２４Ａ，２４Ｂ等は、図２及び図３に示すような状態となっている。即ち、支持リング２５の係合凹部５６にはバリア取付板２３の位置決め凸部４４が係合されて両部材が回転方向に一体とされていると共に、その位置決め凸部４４は回動円筒体２２のガイド突条３６と重なり合った位置にある。この状態では、レンズフード２７を前進させて突出させることができると共に、回動させることもできる。
【００６３】
このとき、バリア取付板２３に支持されている２組のレンズバリア２４Ａ，２４Ｂの第１のバリア片４６の操作部４６ｂは、図２及び図３に示すような状態になっており、バリア取付板２３に設けた切欠き部５２の左側の隅を貫通して、先端部が回動円筒体２２の係合凹部３８Ａ，３８Ｂに係合されている。また、第１のバリア片４６は、捩りばね４８によって開口窓４３を閉じる方向に付勢されている。
【００６４】
この状態から、左手でレンズフード２７を回動させる。すると、レンズフード２７及びこれと回転方向に一体とされている回動円筒体２２が、レンズフード２７の内周面に設けた周方向溝６２ａの長さ分だけ回動する。このときの回動円筒体２２とバリア取付板２３との間に生じる相対的な回動変位によって、まず、第１のバリア片４６が、図４に示すように、開口窓４３を開く方向に回動する。次に、第１のバリア片４６が所定量回動すると、第１のバリア片４６の外縁が第２のバリア片４７の連動突起４７ｃに当接し、その連動突起４７ｃを押して開口窓４３を開く方向に第２のバリア片４７を回動させる。
【００６５】
そして、図５及び図６に示すように、レンズフード２７を所定量回動させると、２組のレンズバリア２４Ａ，２４Ｂの第１のバリア片４６と第２のバリア片４７とが所定位置まで移動して、開口窓４３が完全に開かれる。このとき、捩りばね４８のばね力は、第１のバリア片４６を開く方向に作用し、その開放状態が捩りばね４８によって保持される。また、第２のバリア片４７の連動突起４７ｃが第１のバリア片４６の外縁に当接されるため、第２のバリア片４７の開放状態も維持される。
【００６６】
このような状態、即ち、レンズフード２７を収納したままの状態では、フラッシュ装置１５を使用しない通常の撮影は勿論のこと、フラッシュ装置１５を使用したフラッシュ撮影をも自由に行うことができる。そして、レンズフード２７を回動させるだけで、２組のレンズバリア２４Ａ，２４Ｂを開閉動作させることができ、撮影時でないときにはレンズバリアを閉じて撮影レンズ１４の保護を図ることができると共に、必要時には瞬時にレンズバリアを開いて撮影作業を開始することができる。
【００６７】
一方、レンズフード２７を使用する場合には、図１０に示す状態から、そのままレンズフード２７を前進させる。そして、レンズフード２７を最先端まで突出させ、或いは引出し方向の任意位置で停止させることにより、レンズフード２７を用いて光学系に入射される光量を制限した撮影を行うことができる。このレンズフード２７を使用時には、フラッシュ撮影はできないようになっている。
【００６８】
尚、前記実施例では、レンズフード２７が収納されているときにのみ当該レンズフード２７の回動操作を可能に構成したが、レンズフード２７を突出させたときにも回動操作可能に構成することもできる。また、レンズフード２７が突出される途中の段階でレンズフード２７を回動操作可能に構成してもよい。
【００６９】
また、レンズフード２７を逆方向に回動させると、２組のレンズバリア２４Ａ，２４Ｂの動作が逆になって開口窓４３が完全に閉じられる。即ち、レンズフード２７を逆方向に回動させると、これと回転方向が一体とされている回動円筒体２２の回動により、まず、第１のバリア片４６が開口窓４３を閉じる方向に回動する。そして、第１のバリア片４６が所定量回動すると、第１のバリア片４６に設けた押圧突起４９が第２のバリア片４７の外縁に当接し、開口窓４３を閉じる方向に第２のバリア片４７を移動させる。その結果、図１０に示すように、２組のレンズバリア２４Ａ，２４Ｂが閉じられ、その４枚のバリア片４６，４７によって開口窓４３が完全に閉鎖される。
【００７０】
以上説明したように、本願発明の撮像装置によれば、レンズフードを回転させる機能と伸ばす機能とを設ける構成としたため、収納状態からレンズフードを引出した撮影状態に瞬時に移行することができる。しかも、フラッシュ装置の使用時等のように、レンズフードを使用しないときには、レンズフードを後退させるだけでよく、レンズフードが取り付けられた状態のままで撮影を行うことができる。更に、カメラ本体からレンズフードやレンズバリアを着脱する必要がなく、レンズフードユニットとしてコンパクトに内蔵可能な構成としたため、携帯性に優れた撮像装置を提供することができる。
【００７１】
更に、レンズフード２７をレンズ装置の鏡筒に収納できる構成としたため、電子スチルカメラ１等の撮像装置の持ち運びを容易にすることができる。また、支持リング２５のリング部２５ａの内周面にねじ部を設けることにより、レンズフード２７を取り付けた状態のまま、コンバージョンレンズやフィルタ等を取り付けることができる。更に、レンズフード２７を後退させて所定位置に収納することにより、フラッシュ装置の発光光がレンズフード２７によって遮断されるのを回避することができる。しかも、フラッシュ装置の発光光がレンズフード２７によって遮断されたまま、撮影することを防止する注意の警告表示をすることができる。
【００７２】
また、取り外して使うレンズキャップではなく、スライドすることによって開口窓を開閉するスライドバリアを用いる構成としたため、撮影時にキャップが邪魔になったり、そのキャップがカメラ本体に当たって音が発生する等の不具合を生じることなく撮影を行うことができる。しかも、レンズフードの回動操作により、ワンタッチで撮影状態に切り換えて、撮影を行うことができる。また、カメラ本体にレンズバリアを組み込むと、その分だけカメラ本体が大きくなるが、レンズフード側にレンズバリアを組み込むことにより、カメラ本体の形態を損なうことなく、レンズバリアを用いることができる。しかも、レンズバリアは、レンズフードの正面から見えない部分に収納されているため、正面から見たカメラのデザインを損なうこともない。
【００７３】
更に、バリアの開閉方向がレンズ光軸に対して略垂直面内に収まるため、レンズ光軸方向のレンズフードの大きさに関してデザイン的、機能的な自由度が高い。また、バリアの動作端のストッパは、バリアの角速度が最も速い箇所を直接止める必要が無く且つ面同士で当てる必要もないので、大掛かりな機構を用いることなく動作音を軽減することができる。更に、カメラ本体に備えられたレンズのレンズ径にとらわれることなく、フィルタ類の取付部の大きさを変化させることができ、デザイン的、コスト的にアクセサリの種類の自由度を高めることができる。
【００７４】
以上説明したが、本願発明は前記実施例に限定されるものではなく、例えば、前記実施例においては撮像装置として電子スチルカメラ（デジタルカメラ）に適用した例について説明したが、他の形式の撮像装置、例えば、ビデオカメラ、カメラ付きパーソナルコンピュータ、ＰＤＡ等にも適用できることは勿論である。このように、本願発明は、その要旨を変更しない範囲で各種の変更実施が可能である。
【図面の簡単な説明】
【００７５】
【図１】本発明の撮像装置に係るレンズフードユニットの実施の例を示す分解斜視図である。
【図２】図１のレンズフードユニットの組立状態を示すもので、２組のレンズバリアで開口窓を閉じた状態の斜視図である。
【図３】図１のレンズフードユニットの組立状態を示すもので、２組のレンズバリアで開口窓を閉じた状態の正面図である。
【図４】図１のレンズフードユニットの組立状態を示すもので、２組のレンズバリアで開口窓を途中まで開いた状態の正面図である。
【図５】図１のレンズフードユニットの組立状態を示すもので、２組のレンズバリアで開口窓を完全に開いた状態の斜視図である。
【図６】図１のレンズフードユニットの組立状態を示すもので、２組のレンズバリアで開口窓を完全に開いた状態の正面図である。
【図７】図１のレンズフードユニットからレンズフードを取り除いた組立状態を示すもので、２組のレンズバリアで開口窓を完全に開いた状態の斜視図である。
【図８】図７のレンズフードユニットからレンズフードを取り除いた組立状態の側面図である。
【図９】本発明の撮像装置の一例を示すもので、カメラ本体とレンズフードユニットを分解した斜視図である。
【図１０】本発明の撮像装置の一例の使用状態を示す説明図である。
【図１１】本発明の撮像装置の内部構成の一例を示すブロック説明図である。
【図１２】本発明の撮像装置の制御の一例を示す第１のフローチャートである。
【図１３】本発明の撮像装置の制御の一例を示す第２のフローチャートである。
【符号の説明】
【００７６】
１‥電子スチルカメラ（撮像装置）、  ２‥カメラ本体（撮像装置本体）、  ３‥レンズ収納ケース、  ４‥レンズ装置、  ５‥レンズフードユニット、  ６‥カメラケース、  １４‥撮影レンズ、  １５‥フラッシュ装置、  １８‥回動鏡筒、  １９‥可動鏡筒、  ２１‥円筒部材、  ２２‥回動円筒体、  ２３‥バリア取付板、  ２４Ａ，２４Ｂ‥レンズバリア、  ２５‥支持リング、  ２７‥レンズフード、  ３５‥弾性片、  ３６‥ガイド突条、  ３７‥ガイド溝、  ３８Ａ，３８Ｂ‥係合凹部、  ３９‥回動制限凹部、  ４３，５５‥開口窓、  ４４‥位置決め凸部、  ４５‥回動制限凸部、  ４６‥第１のバリア片）、  ４６ｂ‥操作部、  ４７‥第２のバリア片）、  ４８‥捩りばね（弾性部材）、  ４９‥押圧突起、  ５６‥係合凹部、  ６２，６３‥係合溝、  ６２ａ‥周方向溝、  ８４Ａ，８４Ｂ‥検出スイッチ
【図１】
2006235534.tif 000003
【図２】
2006235534.tif 000004
【図３】
2006235534.tif 000005
【図４】
2006235534.tif 000006
【図５】
2006235534.tif 000007
【図６】
2006235534.tif 000008
【図７】
2006235534.tif 000009
【図８】
2006235534.tif 000010
【図９】
2006235534.tif 000011
【図１０】
2006235534.tif 000012
【図１１】
2006235534.tif 000013
【図１２】
2006235534.tif 000014
【図１３】
2006235534.tif 000015